(57)【特許請求の範囲】
【請求項１】
スクリード装置下面に、該スクリード装置進行方向を軸方向として、並列に配設された複数のビーム部材からなる舗装用縦溝形成器具を用いる舗装工法であって、
該スクリード装置により舗装面を均す際に、該ビーム部材が該スクリード装置の自重により均し面に押し込まれ、
該ビーム部材が均し面に押し込まれた状態で、該ビーム部材がスクリード装置進行方向に従動し、
縦溝が形成される
ことを特徴とする舗装工法。
【請求項２】
前記スクリード装置は振動機能を有し、
該スクリードにより舗装面を均す際に、振動が加えられる
ことを特徴とする請求項１記載の舗装工法。
【請求項３】
前記舗装はアスファルト舗装であって、
前記スクリード装置は、アスファルトフィニッシャに設けられている
ことを特徴とする請求項１または２記載の舗装工法。
【請求項４】
前記アスファルトフィニッシャはタンパ装置を有し、
タンパ装置下面に設けられた凸部材が均し面に押し込まれて、凹部が形成されたのちに、
該凹部に対応する位置に該ビーム部材が均し面に押し込まれる
ことを特徴とする請求項３記載の舗装工法。
【請求項５】
前記アスファルト舗装は、防水機能を有する下層と排水機能を有する上層とを有するように設けられ、
前記縦溝は、該上層に対応して形成される
ことを特徴とする請求項３または４記載の舗装工法。
【請求項６】
前記舗装はコンクリート舗装であって、
前記スクリード装置は、ブリッツスクリードである
ことを特徴とする請求項１または２記載の舗装工法。
【請求項７】
前記舗装はコンクリート舗装であって、
前記スクリード装置は、スリップフォームペーバに設けられたモールドである
ことを特徴とする請求項１または２記載の舗装工法。
【請求項８】
鋲形状に対応して、道路長手方向に繰り返される曲線部を有し、
ビーム部材の軌跡に対応して略均一深さに形成される縦溝
を備えることを特徴とする舗装構造。
【請求項９】
スクリード装置下面に、
該スクリード装置進行方向を軸方向として、
舗装面を均す際に、スクリード装置の自重により均し面に押し込まれるように、
並列に配設された複数のビーム部材
からなることを特徴とする舗装用縦溝形成器具。
【発明の詳細な説明】
【技術分野】
【０００１】
本発明は舗装技術に関し、特に縦溝を有する舗装に関する。
【背景技術】
【０００２】
グルービング舗装では、舗装面に幅6〜9mm、深さ4〜6mmの溝を40〜60mm間隔で設けるものが一般的である。グルービング舗装には車両の進行方向に沿って設置する縦型（縦溝）と、横断方向に設置する横型（横溝）がある。【０００３】
縦型のグルービングは、主に横方向のすべり抵抗値を増大させる必要のあるカーブの多い路面に用いられる。横型のグルービングは、主に車両の制動距離を短縮することに優れた効果があり、坂道や交差点の手前などに用いられる。また、横型のグルービングは走行時に発生する音と振動により、ドライバーに合図や居眠り運転、速度超過などの警告を行なうことができる。【０００４】
すべり抵抗を増大させる以外にも、排水を促進し、早く路面を乾燥させ、雨天時のスリップを防止する。特にハイドロプレーニング抑制効果を発揮する。【０００５】
さらに、寒冷地域においてはスリップ防止効果が顕著となるのに加えて、凍結防止効果、積雪防止効果、融雪効果を発揮する。グルービング舗装は、路面が凹凸となって表面積が増大するとともに溝空間が形成されるため熱が蓄積され、一般的な舗装に比べて路面温度が高くなる。また、凍結防止剤として塩化カルシウム等の薬剤を散布した場合、車両通過時も薬剤の一部が溝に残留するため、融雪効果が持続する。また、路面上の水が凍ってブラックアイスバーンが発生した場合でも、通行車両のタイヤとの接触により、ブラックアイスバーン磨耗促進効果を発揮する。
【先行技術文献】
【特許文献】
【０００６】
【特許文献１】特開２００１−３５５２０３号公報
【特許文献２】特開２００２−２０６２０３号公報
【発明の概要】
【発明が解決しようとする課題】
【０００７】
アスファルト舗装におけるグルービング工法は、専用機械による切削が主流である。一般の舗装と同様に施工したのち、切削工程を行う。そのため、一般の舗装と比べて、施工費用が高くなる、施工期間が長くなるという課題がある。【０００８】
さらに、切削工程では粉塵処理工程が必要となり、この点でも、施工費用と施工期間に係る課題がある。【０００９】
一方、コンクリート舗装におけるグルービング工法の一つにタイングルービング工法がある。コンクリート舗設時に道路横断方向にピアノ線等を用いて舗装面に溝をつける。しかしながら、タイングルービング工法は、横溝形成に適しているが、縦溝形成に適していない。また、排水効果も不十分である。【００１０】
本発明は上記課題を解決するものであり、施工容易な縦溝形成技術を提供することを目的とする。
【課題を解決するための手段】
【００１１】
上記課題を解決する本発明は、舗装工法であって、舗装面を均す際に、縦溝形成部材が該均し面に押圧され、均し進行方向に移動し、縦溝が形成される。【００１２】
本発明は、スクリード装置下面に、該スクリード装置進行方向を軸方向として、並列に配設された複数のビーム部材からなる舗装用縦溝形成器具を用いる舗装工法であって、該スクリードにより舗装面を均す際に、該ビーム部材が均し面に押し込まれ、該ビーム部材が均し面に押し込まれた状態で、該ビーム部材がスクリード装置進行方向に従動し、縦溝が形成される。【００１３】
本発明によれば、舗装面を均す際に、縦溝が形成されるため、従来技術に比べて、縦溝形成が施工容易である。【００１４】
上記発明において好ましくは、前記スクリード装置は振動機能を有し、該スクリードにより舗装面を均す際に、振動が加えられる。【００１５】
これにより、骨材を縦溝壁面に押し込むことで、骨材飛散のおそれを軽減でき、耐久性が向上する。【００１６】
上記発明において好ましくは、前記舗装はアスファルト舗装であって、前記スクリード装置は、アスファルトフィニッシャに設けられている。【００１７】
本発明は、アスファルト舗装に適用可能である。【００１８】
上記発明においてさらに好ましくは、前記アスファルトフィニッシャはタンパ装置を有し、タンパ装置下面に設けられた凸部材が均し面に押し込まれて、凹部が形成されたのちに、該凹部に対応する位置に該ビーム部材が均し面に押し込まれる。【００１９】
この舗装工法によれば、曲線部を有する縦溝の形成が可能となる。また、施工精度が向上する。【００２０】
上記発明においてさらに好ましくは、前記アスファルト舗装は、防水機能を有する下層と排水機能を有する上層とを有するように設けられ、前記縦溝は、該上層に対応して形成される。【００２１】
この舗装工法によれば、防水機能と排水機能とを併せ持つアスファルト舗装において、さらに、縦溝を備えることにより、排水機能が格段に向上する。【００２２】
上記発明において好ましくは、前記舗装はコンクリート舗装であって、前記スクリード装置は、ブリッツスクリードである。【００２３】
上記発明において好ましくは、前記舗装はコンクリート舗装であって、前記スクリード装置は、スリップフォームペーバに設けられたモールドである。【００２４】
本発明は、コンクリート舗装に適用可能である。【００２５】
本発明は、上記舗装工法により形成される縦溝を備える舗装構造である。【００２６】
本発明は、道路長手方向に繰り返される曲線部を有する縦溝を備える舗装構造である。【００２７】
曲線部を有することにより、耐久性が向上し、グリップ力が向上し、寒冷地域における縦溝効果が向上する。【００２８】
上記課題を解決する本発明は、スクリード装置下面に、該スクリード装置進行方向を軸方向として、並列に配設された複数のビーム部材からなる舗装用縦溝形成器具である。【００２９】
本発明に係る舗装用縦溝形成器具を用いることで、縦溝形成が施工容易となる。
【発明の効果】
【００３０】
本発明によれば、従来技術に比べて、縦溝形成が施工容易である。その結果、施工費用及び施工期間を削減できる。
【図面の簡単な説明】
【００３１】
【図１】アスファルトフィニッシャの概略構成図
【図２】スクリードと縦溝形成器具（第１実施形態）
【図３】縦溝形成器具詳細
【図３Ａ】ビーム部材端部
【図３Ｂ】ビーム部材端部
【図３Ｃ】ビーム部材端部
【図３Ｄ】ビーム部材端部
【図４】動作説明図（側面）
【図５】動作説明図（立面）
【図６】動作説明図（平面）
【図７】付加構成に係る概略構成図（第２実施形態）
【図８】舗装構造
【図９】舗装構造(変形例)
【図１０】舗装構造（第３実施形態）
【図１１】縦溝形成器具（第４実施形態）
【図１２】縦溝形成器具詳細
【図１３】動作説明図
【図１４】縦溝形成器具（第５実施形態）
【発明を実施するための形態】
【００３２】
＜第１実施形態＞
〜構成〜
本実施形態が適用されるアスファルトフィニッシャの基本構成について説明する。
【００３３】
図１は、アスファルトフィニッシャの概略構成図である。アスファルトフィニッシャは、走行のためのクローラ１と、オペレータが運転作業するための運転席２と、該運転席２の前方に設けられ、アスファルト混合物がダンプトラックから投入されるホッパ３と、投入されたアスファルト混合物を後方に搬送するバーフィーダ４と、該運転席２の後方に設けられ、アスファルト混合物を舗装幅に均一に広げるためのスクリュースプレッダ５と、スクリュースプレッダ５の後方に設けられ、アスファルト混合物を締め固めるタンパ６と、アスファルト混合物を敷き均す本体スクリード７および伸縮スクリード８等の各種の部材装置から構成されている。クローラに変えてホイールを用いてもよい。
【００３４】
２つの伸縮スクリード８は本体スクリード７の左右に配置されている（図２参照）。伸縮スクリード８が左右方向（進行方向に対し横方向）に伸縮することにより、任意幅の敷き均しが可能となる。
【００３５】
スクリード７，８には、バイブレータ（振動機構）９が設けられている。バイブレータ９はタンパ６と共にアスファルト混合物を締め固める。
【００３６】
本実施形態の特徴的構成として、スクリード７，８のベースプレート下面には、縦溝形成器具１１が設けられている（図２参照）。図３は、縦溝形成器具１１の詳細図である。
【００３７】
縦溝形成器具１１は複数のビーム部材１２からなる。ビーム部材１２はスクリード進行方向を軸方向として、並列に配設される。
【００３８】
図３において、好ましい例としてビーム部材断面は逆三角形を示すが、円形、半円形、平板形状、逆台形状なども適用可能である。
【００３９】
ビーム部材端部１４は、フラット形状１４Ａ（図３Ａ参照）でもよいが、アスファルト抵抗軽減の観点から、錘状（図３Ｂ−図３Ｄ参照）に加工すると、なおよい。図３Ａ１，図３Ｂ１，図３Ｃ１，図３Ｄ１は取付と同じ状態の斜視図であり、図３Ａ２，図３Ｂ２，図３Ｃ２，図３Ｄ２はひっくり返した状態の斜視図である。端部１４Ｂは、押圧面側を斜めに削除し、三角錐としたものである。船の舳先に似た形状となる。端部１４Ｃは、取付面側を斜めに削除し、三角錐としたものである。高速鉄道車両に似た形状となる。端部１４Ｄは、押圧面側および取付面側を斜めに削除し、四角錐としたものである。槍に似た形状となる。
【００４０】
ビーム部材１２の断面幅は２ｍｍ〜４０ｍｍであり、断面高は２ｍｍ〜４０ｍｍである。好ましくは、ビーム部材１２の断面幅は５ｍｍ〜２０ｍｍであり、断面高は５ｍｍ〜２０ｍｍである。ビーム部材１２の長さは、スクリード底面長の５０〜１１０％である。ビーム部材１２がアスファルト均し面に押し込まれる際に、アスファルトの抵抗によりビーム部材１２が曲がるおそれがあるため、長すぎることは好ましくない。
【００４１】
ビーム部材１２中心は１０ｍｍ〜２００ｍｍ間隔で配設される。好ましくは、ビーム部材１２中心は２０ｍｍ〜１００ｍｍ間隔で配設される。
【００４２】
ビーム部材１２は、スクリード７，８のベースプレート下面に溶接されていても良いし、機械接合されていてもよい。たとえば、螺子式とすると、交換が容易であり、ビーム部材の断面形状や大きさを選択することができる。
【００４３】
〜施工〜
本実施形態の舗装工法について説明する。図４は動作説明にかかる側面図であり、図５は動作説明にかかる立面図であり、図６は動作説明にかかる平面図である。
【００４４】
まず、一般的な舗装工法について説明する。
【００４５】
アスファルト混合物は合材工場で製造され、ダンプトラックにより施工箇所まで搬送され、ダンプトラックからホッパ３に投入される。ホッパ３に一時的に貯蔵されたアスファルト混合物はバーフィーダ４により搬送され、スクリュースプレッダ５により広げられ、本体スクリード７および伸縮スクリード８により敷き均される。
【００４６】
アスファルトフィニッシャは、クローラ１（またはホイール）を備え、舗装の平坦性を維持するため、敷き均しながら道路長手方向に一定速度でゆっくりと進行する。
【００４７】
このとき、敷く動作と均す動作が連続して繰り返し行われる。例えば、Ｎエリアで敷く動作が行われたのちに、連続するＮ＋１エリアでは敷く動作が行われる。一方、Ｎ＋１エリアでの敷く動作と同時に、Ｎエリアでは均す動作が行われる。ただし、離散的でなく連続的に繰り返される。
【００４８】
アスファルト混合物敷き均しき均し作業終了後、アスファルト舗装表面を、ローラにより転圧して締め固める。
【００４９】
本実施形態の特徴的な動作は、舗装面を均す際に、ビーム部材１２が均し面に押圧され、押圧された状態で均し進行方向に移動し、縦溝２０が形成されることである。
【００５０】
ビーム部材１２はスクリード７，８のベースプレート下面に設けられている。スクリード７，８の自重が作用し、押圧力によりビーム部材１２は均し面に押し込まれる（図４・図５参照）。
【００５１】
アスファルトフィニッシャが進行すると、ビーム部材１２は均し面に押し込まれた状態を維持しながら従動する。
【００５２】
このとき、従動抵抗を軽減するため、スクリードの進行方向側をやや上げるような傾斜角を付けても良い（図４参照）。
【００５３】
ビーム部材１２の進行による軌跡に対応して、縦溝２０が形成される。
【００５４】
バイブレータ９の振動はビーム部材１２に伝達され、縦溝２０相当位置にあった骨材は、縦溝２０の両壁に移動する。
【００５５】
縦溝２０の断面幅はビーム部材１２の断面幅に対応し、縦溝２０の深さはビーム部材１２の断面高に対応する。ただし、傾斜角を設けた場合、若干深さは変動する。
【００５６】
縦溝２０の延長はビーム部材１２の進行距離に対応する。隣り合う縦溝２０の中心間隔はビーム部材１２の中心間隔に対応する。
【００５７】
なお、縦溝形成後に転圧作業をしても縦溝２０の構造に影響を与えないことを試験施工にて確認している。
【００５８】
更に、隣り合う縦溝が形成する峰部の断面幅（＝縦溝間隔−縦溝断面幅）は、アスファルト骨材の最大骨材寸法以上であることが好ましい。峰部を構成する箇所に、比較的大きな骨材が含まれることにより、転圧作業に対する縦溝の形状安定性が向上する。すなわち、骨材が転圧荷重を支持するため、峰部が潰れにくく、縦溝形状は維持される。
【００５９】
〜効果〜
従来技術と比較することにより、本実施形態の効果を説明する。
【００６０】
従来、主流である切削工法は、一般の舗装と同様に施工したのち、切削工程を行う。また、専用の切削機械に必要である。そのため、一般の舗装と比べて、施工費用が高くなる、施工期間が長くなるという課題がある。さらに、切削工程では粉塵処理工程が必要となり、この点でも、施工費用と施工期間に係る課題がある。
【００６１】
これに対し、本実施形態では、アスファルト混合物を敷き均す際（正確には、均すと同時）に、縦溝２０が形成されるため、従来技術に比べて、縦溝形成が施工容易である。つまり、余分な工程が不要であるため、施工期間が短くなる。また、縦溝形成器具１１は簡単な構造であり、アスファルトフィニッシャに従動するものであり、施工費用が安くなる。
【００６２】
従来技術である切削工法は、アスファルト内の骨材も切断するため、骨材の一部が縦溝壁面に露出し、骨材飛散のおそれがある。その結果、耐久性にかかる課題がある。
【００６３】
これに対し、本実施形態では、振動とビーム部材１２の押圧力により、縦溝２０相当位置にあった骨材は、縦溝２０の両壁に押し込まれる。その結果、骨材が露出することはなく、骨材飛散のおそれは軽減され、耐久性が向上する。
【００６４】
さらに、ビーム部材端部１４を、フラット形状（図３Ａ参照）から錘状（図３Ｂ−図３Ｄ参照）に加工することで、アスファルト抵抗が軽減される。その結果、ビーム部材１２の横ブレが抑制され、より高精度の施工が可能になる。また、錘状側面が徐々にアスファルト合材に押圧されるため、アスファルト合材が確実に締まる。これにより、より確実に耐久性ある縦溝形成が可能になる。
【００６５】
＜第２実施形態＞
〜構成〜
第２実施形態の特徴的構成について説明する。第２実施形態は、第１実施形態に特徴的構成を付加するものである。図７は第２実施形態の構成概略図である。
【００６６】
このアスファルトフィニッシャのタンパ６（図１参照）下面に、進行方向と直角方向に複数の略円錐状の凸部、例えば鉄製の鋲１３が設けられている。
【００６７】
鋲１３の基部側の円筒状部における直径は２ｍｍ〜４０ｍｍである。好ましくは５〜２０ｍｍである。ビーム部材１２の断面幅より大きいとなお良い（後述）。鋲１３の高さは２ｍｍ〜４０ｍｍである。好ましくは５〜２０ｍｍである。ビーム部材１２の断面高と同等であるとなお良い。
【００６８】
隣り合う鋲１３の中心間隔は１０ｍｍ〜２００ｍｍ間隔であり、ビーム部材１２の中心間隔に対応する。また、鋲１３の中心位置は、ビーム部材１２の中心位置に対応する。
【００６９】
鋲１３はタンパ６下面に溶接されていても良いし、機械接合されていてもよい。たとえば、螺子式とすると、交換が容易であり、鋲の大きさを選択することができる。
【００７０】
〜施工〜
本実施形態の舗装工法について説明する。基本的な動作は、第１実施形態と同様である。
【００７１】
タンパ６は上下の振動を発生させ、底板を介して、アスファルト混合物を締め固める。一回の上下動ごとに鋲１３が均し面に押し込まれて、鋲１３に対応する穴（凹部）３１が形成される。
【００７２】
一方で、アスファルトフィニッシャは、一定速度でゆっくりと進行する。その結果、舗装面にて穴３１の形成が一定間隔で進行方向に繰り返される。
【００７３】
鋲１３を有するタンパ６の後方にはビーム部材１２を有するスクリード７，８が設けられている。したがって、穴３１形成に遅れて、対応する位置にビーム部材１２が移動する。
【００７４】
これにより、鋲１３による穴列とビーム部材１２の軌跡とが合わさり、縦溝３０が形成される。
【００７５】
図８は、縦溝３０を有する舗装構造の一例である。縦溝３０の両壁面は、道路長手方向に繰り返される曲線部３２と直線部３３とを有する。すなわち、穴３１の周縁部の一部が曲線部３２となり、ビーム部材１２の軌跡の一部が直線部３３となる。
【００７６】
図９は、舗装構造の別例である。タンパ６の振動数を上げることにより、穴３１の形成は短くなり、穴３１同士が重なり合う。縦溝３０の両壁面は、道路長手方向に繰り返される曲線部３２と嘴部３４を有する。嘴部３４は隣り合う曲線部３２の間に形成される。
【００７７】
〜効果〜
第１実施形態と比較することにより、第２実施形態の効果を説明する。
【００７８】
ビーム部材１２進行に先行して、対応する位置に穴３１が形成されているため、ビーム部材１２挿入抵抗および従動抵抗が大幅に軽減される。その結果、ビーム部材１２の横ブレが抑制され、より高精度の施工が可能になる。
【００７９】
縦溝３０は曲線部３２を有することにより、側面の表面積が増加する。その結果、縦溝３０に荷重が作用したときの応力が軽減される。これにより耐久性が向上する。
【００８０】
縦溝３０は曲線部３２を有することにより、側面の表面積が増加する。その結果、縦溝２０相当位置にあった骨材の可動範囲が広がる。骨材飛散のおそれは更に軽減され、耐久性が向上する。
【００８１】
縦溝３０は曲線部３２を有することにより、車走行時にタイヤとの接触面積が増加する。その結果、グリップ力が向上する。
【００８２】
縦溝３０は寒冷地域において、更なる縦溝による効果向上を期待できる。
【００８３】
縦溝３０は曲線部３２を有することにより、車走行時にタイヤとの接触面積が増加する。ブラックアイスバーン磨耗促進効果が向上する。
【００８４】
縦溝３０は曲線部３２を有する。曲線部３２が障害となって凍結防止剤の流出を抑制する。その結果、融雪効果が持続する。
【００８５】
縦溝３０は曲線部３２を有することにより、側面の表面積が増加するとともに、溝空間も増大する。その結果、蓄熱効果が向上し、積雪防止効果および融雪効果も向上する。
【００８６】
次に、鋲１３による穴列（ビーム部材軌跡なし）と比較することにより、第２実施形態の効果を説明する。
【００８７】
ビーム部材軌跡がなくとも、タンパ６の振動数を上げることにより、穴３１の形成は短くなり、穴３１同士が重なり合う。これにより穴列が形成され、縦溝３０と似たような舗装構造となる。
【００８８】
しかし、試験施工を繰り返した結果、ビーム部材軌跡がない場合、縦溝形状にバラつきが大きく、排水機能も充分でない。
【００８９】
これに対し、本実施形態では、ビーム部材軌跡により明確な縦溝形状を形成でき、充分な排水機能が得られる。
【００９０】
また、ビーム部材軌跡がない場合、嘴部３４が鋭角となり、応力が集中し、耐久性にかかる課題がある。
【００９１】
これに対し、本実施形態では、ビーム部材軌跡により嘴部３４は側方より押圧され、尖度が緩和され（図９参照）、応力が分散し、耐久性が向上する。
【００９２】
〜備考〜
図８および図９は、鋲１３の直径がビーム部材１２の断面幅より大きい場合の例である。一方、鋲１３の直径がビーム部材１２の断面幅より小さい場合もある。
【００９３】
この場合、縦溝３０は曲線部３２を有しないため、曲線部３２による効果は期待できない。しかし、ビーム部材１２挿入抵抗および従動抵抗が大幅に軽減される、ビーム部材１２の横ブレが抑制され、より高精度の施工が可能になるという効果については得られる。
【００９４】
＜第３実施形態＞
本願発明を、防水機能を有する下層２２と排水機能を有する上層２３とからなるアスファルト舗装に適用しても良い。図１０は第３実施形態の構成概略図である。適用例について説明する。
【００９５】
先ず、基層２１上に、６号砕石と７号砕石と砕砂と細砂と石粉とアスファルトとが所定の配合割合で混合されたアスファルト混合物を設ける。たとえば、６号砕石の配合割合は６４．５〜７２．５％、７号砕石の配合割合は７．５〜１３％、砕砂の配合割合は５〜７％、細砂の配合割合は５〜７％、石粉の配合割合は８〜１２％とする。アスファルト量は、前記骨材に対して４〜７％とする。混合物の粒度範囲は、ふるい目呼び寸法１９ｍｍで１００％、１３．２ｍｍで９０〜１００％、４．７５ｍｍで２１〜４０％、２．３６ｍｍで１５．５〜２９．５％、７５μｍで６．５〜１２．５％である。
【００９６】
アスファルトとして、高性能改質アスファルトを使用するとなおよい。これにより、優れた耐流動性と骨材飛散抵抗性を図ることができる。
【００９７】
アスファルト混合物層が設けられた後、アスファルトフィニッシャにより敷き均す。この時のアスファルトフィニッシャの運行条件は、走行速度が１．５ｍ／ｍｉｎ、タンパ振動が１１２０ｍｉｎ−１、バイブレータが１０２０ｃｐｍとする。更に、マカダムローラ１１回以上、１５ｔタイヤローラ３回以上転圧する。敷き均し温度は１６０±１０℃とする。一次転圧温度は１５５±１０℃となる。二次転圧温度は８０±１０℃となる。
【００９８】
アスファルト混合物層の締固めにより、約４０ｍｍ厚のアスファルト舗装層が構成される。アスファルト舗装層の下層２２（厚さ約３０ｍｍ）側にはアスファルトモルタルが集中的に充填される。アスファルトモルタルは、砕砂と細砂と石粉とアスファルトから構成される。すなわち、下層であるほど、骨材と骨材との間の空隙部に、アスファルトモルタルが充填される。これにより、基層２１側に水が浸透して行かないようになっている（防水機能）。
【００９９】
一方、アスファルト舗装層の上層２３（厚さ約１０ｍｍ）側ではアスファルトモルタルの充填量が少ない。アスファルトが骨材と骨材とをバインドするが、空隙部は残る。これにより、空隙を水が比較的自由に移動できる。すなわち、排水機能が比較的保持されている。
【０１００】
上層厚はアスファルト舗装厚の５〜４０％程度であることが好ましい。上記例では、２５％（＝１０ｍｍ／４０ｍｍ）である。
【０１０１】
縦溝２０は、上層２３に対応して形成される。縦溝２０の深さは、上層厚と同等であることが好ましいが、多少の多寡は許容できる。すなわち、縦溝２０が下層２２まで延設されていてもよいし、上層２３の途中まで設けられていてもよい。
【０１０２】
上記アスファルト舗装は、防水機能と排水機能とを併せ持つ。さらに、縦溝２０を備えることにより、排水機能が格段に向上する。
【０１０３】
＜第４実施形態＞
〜概要〜
第１〜３実施形態は、本発明をアスファルト舗装に適用した例である。一方で、本発明は、コンクリート舗装にも適用できる。
【０１０４】
コンクリート舗装工法にはいくつかある。代表例はセットフォーム工法である。セットフォーム工法は、型枠およびレールを設置し、スプレッダによる敷き均し、コンクリートフィニッシャによる締固めを行う。
【０１０５】
近年では、施工能力向上を企図して、スリップフォーム工法も施工されている。クローラにより自走可能なスリップフォームペーバを用い、敷き均しと締固めを行う。型枠およびレールは不要である。
【０１０６】
施行量が少ない場合は、人力により敷き均し、ブリッツスクリード(簡易フィニッシャ)により締固めを行う。
【０１０７】
〜特徴的構成と施工〜
図１１は、第４実施形態に係る縦溝形成器具である。本実施形態の特徴的構成として、ブリッツスクリード４１の下面には、縦溝形成器具４２が設けられている。
【０１０８】
図１２は、縦溝形成器具の詳細である。縦溝形成器具４２は複数のビーム部材４３からなる。ビーム部材４３はスクリード進行方向を軸方向として、並列に配設される。
【０１０９】
ビーム部材断面形状として、逆三角形、円形、半円形、平板形状、逆台形状などが適用可能である。
【０１１０】
ビーム部材４３の断面幅は２ｍｍ〜４０ｍｍであり、断面高は２ｍｍ〜４０ｍｍである。好ましくは、断面幅は５ｍｍ〜２０ｍｍであり、断面高は５ｍｍ〜２０ｍｍである。ビーム部材４３の長さは、スクリード底面長の５０〜１５０％である。打設中のコンクリリートはアスファルトに比べて挿入抵抗が少ないため、第１実施形態よりビーム長が長くても良い。
【０１１１】
ビーム部材４３中心は１０ｍｍ〜２００ｍｍ間隔で配設される。好ましくは、ビーム部材１２中心は２０ｍｍ〜１００ｍｍ間隔で配設される。
【０１１２】
ビーム部材４３は、ブリッツスクリード４１下面に溶接されていても良いし、機械接合されていてもよい。たとえば、螺子式とすると、交換が容易であり、ビーム部材の断面形状や大きさを選択することができる。
【０１１３】
図１３は、第４実施形態に係る動作説明図である。図示のように、スリップフォームペーバにブリッツスクリードを従動させてもよいし、コンクリートフィニッシャにブリッツスクリードを従動させても良い。
【０１１４】
ブリッツスクリードにはバイブレータ（振動機構）４４が設けられており、振動の反力によりブリッツスクリード４１は自走可能である。したがって、ブリッツスクリード４１のみでもよい。
【０１１５】
本実施形態の特徴的な動作は、舗装面を均す際に、ビーム部材４３が均し面に押圧され、押圧された状態で均し進行方向に移動し、縦溝４０が形成されることである。
【０１１６】
ビーム部材４３はブリッツスクリード４１の下面に設けられている。ブリッツスクリード４１の自重が作用し、押圧力によりビーム部材４３は均し面に押し込まれる。
【０１１７】
ブリッツスクリード４１が進行すると、ビーム部材４３は均し面に押し込まれた状態を維持しながら従動する。
【０１１８】
ビーム部材４３の進行による軌跡に対応して、縦溝４０が形成される。
【０１１９】
バイブレータ４４の振動はビーム部材４３に伝達され、縦溝４０相当位置にあった骨材は、縦溝４０の両壁に移動する。
【０１２０】
縦溝４０の断面幅はビーム部材４３の断面幅に対応し、縦溝４０の深さはビーム部材４３の断面高に対応する。
【０１２１】
縦溝４０の延長はビーム部材４３の進行距離に対応する。隣り合う縦溝４０の中心間隔はビーム部材４３の中心間隔に対応する。
【０１２２】
〜効果〜
従来技術と比較することにより、本実施形態の効果を説明する。
【０１２３】
従来技術に係るコンクリート舗装におけるグルービング工法の一つにタイングルービング工法がある。コンクリート舗設時に道路横断方向にピアノ線等を用いて舗装面に溝をつける。しかしながら、タイングルービング工法は、横溝形成に適しているが、縦溝形成に適していない。また、排水効果も不十分である。
【０１２４】
これに対し、本実施形態では、ビーム部材軌跡により明確な縦溝形状を形成でき、充分な排水機能が得られる。
【０１２５】
＜第５実施形態＞
【０１２６】
〜特徴的構成と施工〜
第４実施形態では、ブリッツスクリードに縦溝形成器具を設けたが、スリップフォームペーバのモールド５１の下面に縦溝形成器具５２を設けても良い。図１４は、第５実施形態に係る縦溝形成器具である。
【０１２７】
なお、スリップフォームペーバのモールドをスクリード装置と呼ぶことは少ないが、実質的に同様な機能を発揮するものであり、本願では便宜上、スクリード装置の一態様として扱う。
【０１２８】
縦溝形成器具５２は複数のビーム部材５３からなる。ビーム部材５３はスリップフォームペーバ進行方向を軸方向として、並列に配設される。
【０１２９】
ビーム部材断面形状として、逆三角形、円形、半円形、平板形状、逆台形状などが適用可能である。図示では半円系である。
【０１３０】
ビーム部材５３の断面幅は２ｍｍ〜４０ｍｍであり、断面高は２ｍｍ〜４０ｍｍである。好ましくは断面幅は５ｍｍ〜２０ｍｍであり、断面高は５ｍｍ〜２０ｍｍである。ビーム部材５３の長さは、モールド底面長の５０〜１５０％である。コンクリリートはアスファルトに比べて挿入抵抗が少ないため、第１実施形態よりビーム長が長くても良い。
【０１３１】
ビーム部材５３中心は１０ｍｍ〜２００ｍｍ間隔で配設される。好ましくは、ビーム部材１２中心は２０ｍｍ〜１００ｍｍ間隔で配設される。
【０１３２】
ビーム部材５３は、モールド５１下面に溶接されていても良いし、機械接合されていてもよい。たとえば、螺子式とすると、交換が容易であり、ビーム部材の断面形状や大きさを選択することができる。
【０１３３】
本実施形態の特徴的な動作は、スリップフォームペーバが舗装面を均す際に、ビーム部材５３が均し面に押圧され、押圧された状態で均し進行方向に移動し、縦溝５０が形成されることである。
【０１３４】
ビーム部材５３はモールド５１の下面に設けられている。モールド５１が均し面を形成すると同時に、押圧力によりビーム部材５３は均し面に押し込まれる。
【０１３５】
スリップフォームペーバが進行すると、ビーム部材５３は均し面に押し込まれた状態を維持しながら移動する。
【０１３６】
ビーム部材５３の進行による軌跡に対応して、縦溝５０（図示省略）が形成される。
【０１３７】
スリップフォームペーバは振動機能を有し、この振動はビーム部材５３に伝達され、縦溝５０相当位置にあった骨材は、縦溝５０の両壁に移動する。
【０１３８】
縦溝５０の断面幅はビーム部材５３の断面幅に対応し、縦溝５０の深さはビーム部材５３の断面高に対応する。
【０１３９】
縦溝５０の延長はビーム部材５３の進行距離に対応する。隣り合う縦溝５０の中心間隔はビーム部材５３の中心間隔に対応する。
【０１４０】
〜効果〜
第５実施形態の効果は、第４実施形態とほぼ同様である。
【０１４１】
スリップフォーム工法により施工する場合、ブリッツスクリードなしでも、縦溝形成ができる。
【０１４２】
＜第６実施形態＞
第４実施形態と第５実施形態を組み合わせても良い。ただし、第４実施形態のビーム部材４３と第５実施形態のビーム部材５３を対応する位置に配置することが重要である。
【０１４３】
図１３を参考に動作を説明する。スリップフォームペーバにブリッツスクリードを従動させる。
【０１４４】
まず、先行する縦溝形成器具５２（図１４参照）により縦溝５０が形成される。次いで従動する縦溝形成器具４２（図１１参照）により縦溝４０が形成される。
【０１４５】
縦溝４０は縦溝５０に対応する位置に形成される。その結果、より確実に明確な縦溝形状を形成できる。
【符号の説明】
【０１４６】
１  クローラ
２  運転席
３  ホッパ
４  バーフィーダ
５  スクリュースプレッダ
６  タンパ
７  本体スクリード
８  伸縮スクリード
９  バイブレータ
１１  縦溝形成器具
１２  ビーム部材
１３  鋲
１４  ビーム部材端部
２０  縦溝
２１  基層
２２  下層
２３  上層
３０  縦溝
３１  穴
３２  曲線部
３３  直線部
３４  嘴部
４０  縦溝
４１  ブリッツスクリード
４２  縦溝形成器具
４３  ビーム部材
４４  バイブレータ
５０  縦溝
５１  モールド
５２  縦溝形成器具
５３  ビーム部材
【要約】
施工容易な縦溝形成技術を提供する。スクリード７，８のベースプレート下面には、縦溝形成器具１１が設けられている。縦溝形成器具１１は複数のビーム部材１２からなる。ビーム部材１２はスクリード進行方向を軸方向として、並列に配設される。舗装面を均す際に、ビーム部材１２が均し面に押圧され、押圧された状態で均し進行方向に移動し、縦溝２０が形成される。【図１】
0005913753.tif 000002
【図２】
0005913753.tif 000003
【図３】
0005913753.tif 000004
【図３Ａ】
0005913753.tif 000005
【図３Ｂ】
0005913753.tif 000006
【図３Ｃ】
0005913753.tif 000007
【図３Ｄ】
0005913753.tif 000008
【図４】
0005913753.tif 000009
【図５】
0005913753.tif 000010
【図６】
0005913753.tif 000011
【図７】
0005913753.tif 000012
【図８】
0005913753.tif 000013
【図９】
0005913753.tif 000014
【図１０】
0005913753.tif 000015
【図１１】
0005913753.tif 000016
【図１２】
0005913753.tif 000017
【図１３】
0005913753.tif 000018
【図１４】
0005913753.tif 000019